(57)【要約】      （修正有）【課題】内寸を変更できるコンテナを提供する。【解決手段】矩形状の底壁部１１と、底壁フレーム２１の長手方向に着脱可能に設けられた一対の支柱部３１ａ、及び、一対の支柱部を連結し、且つ、厚さ方向で支柱部の中心から一方向にずれて配置された連結部を有する、底壁フレームの長手方向に沿って設けられた一対の第１側壁部と、一対の第１側壁部に設けられた、一対の第２側壁部１３と、を備える。【選択図】図１
2019018911.tif 000002
【特許請求の範囲】
【請求項１】
矩形状の底壁部と、
前記底壁部の長手方向に着脱可能に設けられた一対の支柱部、及び、前記一対の支柱部を連結し、且つ、厚さ方向で前記支柱部の中心から一方向にずれて配置された連結部を有する、前記底壁部の長手方向に沿って設けられた、前記底壁部に着脱可能な一対の第１側壁部と、
前記一対の第１側壁部に設けられた、一対の第２側壁部と、
を備えるコンテナ。
【請求項２】
前記第１側壁部は、前記連結部の両主面に第１側壁シートを有し、
前記第２側壁部は、内面側の主面に第２側壁シートを有する、
請求項１に記載のコンテナ。
【請求項３】
前記底壁部に設けられた脚部材と、
前記底壁部に着脱可能に設けられた台車部材と、
を備える、請求項１に記載のコンテナ。
【請求項４】
前記第１側壁部上に着脱可能に設けられた天壁部と、を備える、請求項１に記載のコンテナ。
【請求項５】
前記第２側壁部の厚さは、前記支柱部の外面及び前記支柱部の外面よりも内側にある連結部の外面の間の距離と同一又は小さく構成されるとともに、前記第１側壁部に着脱可能に構成され、
前記第１側壁部又は前記第２側壁部は、前記第１側壁部の前記支柱部の外面よりも内側にある前記連結部の外面に固定する固定具を有する、請求項１に記載のコンテナ。
【発明の詳細な説明】
【技術分野】
【０００１】
本発明は、搬送品を搬送するためのコンテナに関する。
【背景技術】
【０００２】
搬送品を搬送する手段として、コンテナが知られている（例えば、特許文献１及び特許文献２参照）。このようなコンテナは、搬送品を収容可能に、搬送品を収容したあと、フォークリフト、クレーン及びキャスター等によって搬送先まで搬送される。
【先行技術文献】
【特許文献】
【０００３】
【特許文献１】特開２００４−１５５４４２号公報
【特許文献２】特開２００２−０４６７４１号公報
【発明の概要】
【発明が解決しようとする課題】
【０００４】
しかしながら、上述のコンテナにおいては、内寸が決まっており、搬送品の形状によっては、デットスペースが生じる虞がある。デットスペースが生じると、搬送時に搬送品がコンテナ内で移動する等の問題が生じる虞がある。例えば、搬送品が布材である場合には、コンテナ内で移動した布材がコンテナ内に干渉し、布材にしわ等の痕がつく虞がある。また、搬送品がコンテナ内を移動する衝撃により、搬送品が損傷する虞もある。このため、コンテナの使用において、搬送品とコンテナ内にデットスペースが生じないように、搬送品の外装箱の形状を統一する必要が生じることや、搬送品とコンテナ内との間に緩衝材を設ける必要が生じることもある。
【０００５】
そこで本発明は、内寸を変更できるコンテナを提供することを目的とする。
【課題を解決するための手段】
【０００６】
前記課題を解決し目的を達成するために、本発明のコンテナは、次のように構成されている。
【０００７】
本発明の一態様によれば、コンテナは、矩形状の底壁部と、前記底壁部の長手方向に着脱可能に設けられた一対の支柱部、及び、前記一対の支柱部を連結し、且つ、厚さ方向で前記支柱部の中心から一方向にずれて配置された連結部を有する、前記底壁部の長手方向に沿って設けられた一対の第１側壁部と、前記一対の第１側壁部に設けられた、一対の第２側壁部と、を備える。
【発明の効果】
【０００８】
本発明によれば、内寸を変更できるコンテナを提供することが可能となる。
【図面の簡単な説明】
【０００９】
【図１】本発明の一実施形態に係るコンテナの構成を示す斜視図。
【図２】同コンテナの構成を示す斜視図。
【図３】同コンテナの構成を示す斜視図。
【図４】同コンテナの構成を分解して示す斜視図。
【図５】同コンテナに用いられる底壁部の構成を一部切欠して示す斜視図。
【図６】同コンテナに用いられる第１側壁部の構成を一部切欠して示す斜視図。
【図７】同コンテナに用いられる第１側壁部の構成を一部切欠して示す斜視図。
【図８】同コンテナに用いられる第２側壁部の構成を一部切欠して示す側面図。
【図９】同第２側壁部を第１側壁部に取り付けたコンテナの構成を示す斜視図。
【図１０】同コンテナに用いられる天壁部の構成を一部切欠して示す斜視図。
【図１１】同コンテナの使用の一例を示す斜視図。
【図１２】同コンテナの使用の一例を示す斜視図。
【図１３】同コンテナの使用の一例を示す斜視図。
【図１４】同コンテナの使用の一例を示す斜視図。
【図１５】同コンテナの使用の一例を示す斜視図。
【図１６】同コンテナの使用の一例を示す斜視図。
【図１７】同コンテナの使用の一例を示す斜視図。
【図１８】同コンテナの使用の一例を示す斜視図。
【図１９】同コンテナの使用の一例を示す斜視図。
【発明を実施するための形態】
【００１０】
以下、本発明の一実施形態に係るコンテナ１を、図１乃至図１９を用いて説明する。  
図１は本発明の一実施形態に係るコンテナ１の構成を示す斜視図、図２はコンテナ１の構成及び使用の一例を示す斜視図、図３コンテナ１の構成及び使用の他の例を示す斜視図、図４はコンテナ１の構成を分解して示す斜視図である。
【００１１】
図５はコンテナ１に用いられる底壁部１１の構成を一部切欠して示す斜視図、図６、図７はコンテナ１に用いられる第１側壁部１２の構成をそれぞれ異なる方向から一部切欠して示す斜視図、図８は、コンテナ１に用いられる第２側壁部１３の構成を一部切欠して示す平面図、図９は、第２側壁部１３を第１側壁部１２に取り付けたコンテナ１の構成を示す斜視図、図１０は、コンテナ１に用いられる天壁部１４の構成を一部切欠して示す斜視図である。
【００１２】
図１乃至図４に示すように、コンテナ１は、底壁部１１と、一対の第１側壁部１２と、一対の第２側壁部１３と、天壁部１４と、を備えている。
【００１３】
図２及び図３に示すように、コンテナ１は、搬送品１００を収容可能、且つ、搬送品１００を天壁部１４上面に載置可能に構成される。また、コンテナ１は、底壁部１１、一対の第１側壁部１２、一対の第２側壁部１３及び天壁部１４を取り外し可能に構成される。例えば、搬送品１００は、外装箱によって収容されるものであるか、又は、製品自体である。例えば、本実施形態においては、ロール状に巻回した布材等や、段ボール等に収容された物である。
【００１４】
図５に示すように、底壁部１１は、底壁フレーム２１と、底壁シート２２と、脚部材２３と、台車部材２４を備えている。底壁フレーム２１は、矩形筒状の金属材料で構成され、一方向に長い矩形枠状に構成される。底壁フレーム２１は、上面に底壁シート２２が配置され、四隅に脚部材２３が配置され、底面に台車部材２４が配される。
【００１５】
底壁シート２２は、例えば、ＰＰ（ポリプロピレン）により形成された発泡材により構成される。底壁シート２２は、底壁フレーム２１の上面に固定される。脚部材２３は、底壁フレーム２１の四隅にそれぞれ設けられた４つの脚２３ａと、隣り合う２つの脚２３ａを連結する連結部材２３ｂと、を備える。例えば、４つの脚２３ａは、上端が開口し、第１側壁部１２が着脱可能に構成される。
【００１６】
台車部材２４は、底壁フレーム２１に着脱可能に取り付けられる。台車部材２４は、フォークリフトによってコンテナ１を搬送する場合や保管時に底壁フレーム２１から取り外し可能に、そして、コンテナ１を操作して搬送する時に底壁フレーム２１に取り付けられる。
【００１７】
図６及び図７に示すように、第１側壁部１２は、第１側壁フレーム３１と、第１側壁フレーム３１の両主面に設けられた第１側壁シート３２と、を備えている。第１側壁部１２は、底壁フレーム２１の長手方向に沿って、底壁部１１の脚部材２３に固定される。第１側壁フレーム３１は、矩形筒状の金属材料で構成され、一方向に長い矩形枠状に構成される。第１側壁フレーム３１は、重力方向に伸びる一対の支柱部３１ａと一対の支柱部３１ａ間に設けられた連結部３１ｂと、を備えている。また、第１側壁フレーム３１は、第２側壁部１３を支持する支持部３１ｃと、第２側壁部１３を固定する固定具３１ｄと、を有する。
【００１８】
支柱部３１ａは、第１側壁部１２の主面間の厚さ方向の幅、換言すると、底壁フレーム２１の長手方向に直交する方向の幅が、連結部３１ｂの同方向の幅よりも大きく構成される。支柱部３１ａは、脚２３ａの上端の開口に挿入することで、脚２３ａに取り付けられる。連結部３１ｂは、一対の支柱部３１ａの対向する方向に直交する方向で、支柱部３１ａの中心よりも一方にずれて、支柱部３１ａに取り付けられる。
【００１９】
支持部３１ｃは、後述するように、第２側壁部１３を２つの取付位置で取り付け可能に、支柱部３１ａの外面に複数設けられる。固定具３１ｄは、第１側壁フレーム３１の連結部３１ｂの上縁に、第２側壁部１３の後述する格子部４１を連結部３１ｂの上端に固定するベルト等の固定具３１ｄを有する。例えば、固定具３１ｄは、一対の第１側壁フレーム３１にそれぞれ一つずつ設けられていても良く、また、一対の第１側壁フレーム３１の一方に２つ設けられていてもよく、また、一対の第１側壁フレーム３１の双方に２つ設けられる構成であってもよい。即ち、固定具３１ｄは、一対の第１側壁フレーム３１の一方又は双方に一対の第２側壁部１３を固定可能な構成であれば、適宜設定可能である。
【００２０】
第１側壁シート３２は、例えば、ＰＰにより形成された発泡材により構成される。第１側壁シート３２は、連結部３１ｂの両主面に固定される。第１側壁シート３２の一方は、支柱部３１ａの外面と面一に連結部３１ｂに配置され、そして、第１側壁シート３２の他方は、支柱部３１ａの外面よりも内側に配置される。即ち、一対の第１側壁シート３２は、第１側壁部１２の厚さ方向で、支柱部３１ａの中心からの位置が異なる。また、一対の第１側壁シート３２のうち、対向する一対の第１側壁部１２の第１側壁シート３２が、コンテナ１の内面を構成する。
【００２１】
このような第１側壁部１２は、図６に示すように、第１側壁シート３２により構成される外面が支柱部３１ａと面一の第１面と、図７に示すように、第１側壁シート３２により構成される外面が支柱部３１ａよりも内側にある第２面とを有する。
【００２２】
図７及び図８に示すように、第２側壁部１３は、格子状に構成された格子部４１と、格子部４１の一面に設けられた第２側壁シート４２と、閂４３と、を備えている。第２側壁部１３の厚さは、支柱部３１ａの外面と支柱部３１ａの外面よりも内側にある第１側壁部１２の外面との間の距離と同一又は当該距離よりも小さく構成される。ここで、支柱部３１ａの外面よりも内側にある第１側壁部１２の外面とは、第１側壁部１２の第２面の外面であり、本実施形態においては、第１側壁シート３２の当該第２面側の外面である。なお、第１側壁シート３２を有さない構成においては、支柱部３１ａの外面よりも内側にある第１側壁部１２の外面とは、連結部３１ｂの第２面側の外面となる。
【００２３】
格子部４１は、支柱部３１ａに着脱可能、且つ、支柱部３１ａに取り付けられたときに、回転可能に構成される。また、格子部４１は、例えば、幅方向の一方の縁部に回転軸４１ａを有し、幅方向の他方の縁部に閂４３が配置され、第２側壁部１３に取り付け可能に構成される。例えば、回転軸４１ａは、支柱部３１ａのコンテナ１の長手方向の外面及び当該長手方向と直交する方向の外面にそれぞれ設けられた、支持部３１ｃによって回転可能に支持される。これにより、第２側壁部１３は、コンテナ１の長手方向を開閉可能な側壁を構成する。
【００２４】
格子部４１は、図１乃至図３に示すように、一対の第１側壁部１２の一方の第１側壁部１２の支柱部３１ａに回転可能に取り付けられるとともに、他方の第１側壁部１２に閂４３を介して固定されることで、コンテナ１の側壁を構成する。例えば、図７及び図９に示すように、格子部４１は、一対の第１側壁部１２の一方の第１側壁部１２の支柱部３１ａに取り付けられることで第１側壁部１２に回転可能に設けられるか、又は、第１側壁部１２の支柱部３１ａよりも窪む第２面側の第１側壁シート３２に対向して配置され、固定具３１ｄを介して第１側壁部１２に固定されることで、第１側壁部１２に一体に収容される。即ち、図９に示すように、第２側壁部１３は、コンテナ１の長手方向の側壁を構成しないときに、第１側壁部１２の第２面側に収容され、コンテナ１の長手方向の側壁を構成するときに、第２面側の第２側壁部１３から取り外され、コンテナ１の長手方向に配置される。
【００２５】
第２側壁シート４２は、例えば、ＰＰにより形成された発泡材により構成される。第２側壁シート４２は、格子部４１の一方の主面に固定される。また、第２側壁シート４２は、固定具３１ｄと対向する位置に開口４２ａを有する。
【００２６】
図１０に示すように、天壁部１４は、天壁フレーム５１と、天壁シート５２と、天壁フレーム５１の四隅に設けられた連結部５３と、を備えている。天壁フレーム５１は、矩形筒状の金属材料で構成され、一方向に長い矩形枠状に構成される。
【００２７】
天壁シート５２は、例えば、ＰＰにより形成された発泡材により構成される。天壁シート５２は、底壁フレーム２１の上面に固定される。
【００２８】
連結部５３は、天壁フレーム５１の外周面の四隅にそれぞれ設けられ、天壁フレーム５１の外周面の四隅から下方向へ延びる断面Ｌ字状の部材である。４つの連結部５３は、支柱部３１ａの外面の二面、又は、脚２３ａの外面の二面と当接することで、一対の第１側壁部１２の４つの支柱部３１ａの外面と当接し、天壁部１４を一対の第１側壁部１２又は４つの脚２３ａに固定する。
【００２９】
次に、このように構成されたコンテナ１の使用方法の一例を説明する。
【００３０】
例えば、図１１乃至図１３に示すように、底壁フレーム２１上に、第２側壁部１３が取り付けられて一対の第２側壁部１３を収容した一方の第１側壁部１２、及び、他方の第１側壁部１２が順次載置され、天壁部１４の連結部５３を脚２３ａに固定することで、各構成品が分解され、そして一体に積層された状態でコンテナ１が保管される。また、このようなコンテナ１は、図１４に示すように、積層された状態で複数が保管される。
【００３１】
分解されたコンテナ１は、底壁フレーム２１に一対の第１側壁部１２を固定するとともに、第２側壁部１３を取り付けることで、図１５又は図１６に示すように、第１側壁部１２を第１面又は第２面の一方を外面側にした姿勢で底壁部１１に取り付けることで箱状に構成される。
【００３２】
また、例えば、図１７に示すように、一対の第２側壁部１３がコンテナ１の長手方向の両端部に位置するように第１側壁部１２の一方に取り付け、当該第１側壁部１２を底壁フレーム２１に固定した状態で、搬送品１００を底壁フレーム２１に載置し、その後、他方の第１側壁部１２を底壁フレーム２１に固定してもよい。この場合には、その後、天壁部１４を一対の第１側壁部１２を固定する。
【００３３】
また、天壁部１４上に搬送品１００を載置して搬送する場合には、図２及び図３に示すように、天壁シート５２上に搬送品１００を載置し、ロープ１１０等により固定する。また、コンテナ１に収容する搬送品１００の長さがコンテナ１の長手方向の長さよりも長い場合には、図１８に示すように、第２側壁部１３を取りはずして、第１側壁部１２の第２面側に取り付けて第２側壁部１３を第１側壁部１２に収容することで、コンテナ１の長手方向を開口させてもよい。
【００３４】
また、搬送品１００のサイズ及び形状等に応じて、一対の第１側壁部１２の配置方向、即ち、コンテナ１の外面側に第１面及び第２面の一方を配置すればよい。具体的に説明すると、図１５に示すように一対の第１側壁部１２が対向する面を、支柱部３１ａの外面と面一の第１側壁シート３２（第１面）側とするか、又は、図１６に示すように支柱部３１ａの外面よりも内側となる第１側壁シート３２（第２面）側とする。これにより、コンテナ１は、一対の第１側壁部１２の対向する内寸が可変できる。このため、コンテナ１に収容する搬送品１００に対して、適切な内寸を選択できる。
【００３５】
このように構成されたコンテナ１によれば、第１側壁部１２の一対の支柱部３１ａ間の連結部３１ｂを、一対の支柱部３１ａの対向方向に対して直交する方向に対して支柱部３１ａの中心からずれる構成を有する。このため、コンテナ１は、一対の第１側壁部１２の対向方向を変えることで、一対の第１側壁部１２の内寸を変更することができる。これにより、搬送する搬送品１００に適した内寸のコンテナ１とすることができるため、搬送品１００とコンテナ１との間に生じるデットスペースを低減できる。
【００３６】
このため、搬送品１００とコンテナ内にデットスペースが生じないように、搬送品１００の外装箱等の形状を統一することや、搬送品とコンテナ内との間に緩衝材を設けることを、極力要さないことから、搬送コスト等を低減できる。
【００３７】
さらに、コンテナ１は、図１９に示すように、二段重ねて、上段のコンテナ１及び下段のコンテナ１の双方に、反物等の長物の搬送品１００を収容する使用も可能である。また、図１９に示すように、搬送品１００を収容した状態でコンテナ１を保管する場合には、台車部材２４を床面から離間させるために、添え木１２０上に配置する使用も可能である。
【００３８】
上述したように本発明の一実施形態に係るコンテナ１によれば、一対の第１側壁部１２の両主面の位置を、第１側壁部１２の支柱部３１ａに対して異なる位置にし、第１側壁部１２を底壁部１１に着脱可能とすることで、内寸を変更することができる。
【００３９】
なお、本実施形態は上述した形態に限定されるものではない。例えば、上述したコンテナ１は、底壁シート２２、第１側壁シート３２、第２側壁シート４２及び天壁シート５２を備える構成を説明したが、これに限定されない。たとえば、これら各シートを有さず、各壁を格子状としてもよい。このとき、例えば、第１側壁部１２は、格子状に構成され、連結部３１ｂが第１側壁部１２の両主面を構成する。即ち、連結部３１ｂの一方の主面が支柱部３１ａの外面と面一に構成された第１面を構成し、連結部３１ｂの他方の主面が、支柱部３１ａよりも内側にある第２面を構成する。
【００４０】
さらに、上述した例では、第１側壁部１２の対向方向のみの内寸を変更可能な構成を説明したが、これに限定されず、例えば、第２側壁部１３を第１側壁部１２と同様の構成とすることで、コンテナ１は、直交する２方向で内寸が可変可能となる。また、第１側壁部１２は可変できない構成とし、第２側壁部１３を可変可能な構成としてもよい。
【００４１】
即ち、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４２】
１…コンテナ、１１…底壁部、１２…第１側壁部、１３…第２側壁部、１４…天壁部、２１…底壁フレーム、２２…底壁シート、２３…脚部材、２３ａ…脚、２３ｂ…連結部材、２４…台車部材、３１…第１側壁フレーム、３１ａ…支柱部、３１ｂ…連結部、３１ｃ…支持部、３１ｄ…固定具、３２…第１側壁シート、４１…格子部、４１ａ…回転軸、４２…第２側壁シート、４２ａ…開口、４３…閂、５１…天壁フレーム、５２…天壁シート、５３…連結部、１００…搬送品、１１０…ロープ、１２０…添え木。
【図１】
2019018911.tif 000003
【図２】
2019018911.tif 000004
【図３】
2019018911.tif 000005
【図４】
2019018911.tif 000006
【図５】
2019018911.tif 000007
【図６】
2019018911.tif 000008
【図７】
2019018911.tif 000009
【図８】
2019018911.tif 000010
【図９】
2019018911.tif 000011
【図１０】
2019018911.tif 000012
【図１１】
2019018911.tif 000013
【図１２】
2019018911.tif 000014
【図１３】
2019018911.tif 000015
【図１４】
2019018911.tif 000016
【図１５】
2019018911.tif 000017
【図１６】
2019018911.tif 000018
【図１７】
2019018911.tif 000019
【図１８】
2019018911.tif 000020
【図１９】
2019018911.tif 000021